(57)【特許請求の範囲】
【請求項１】
処置空間（９、９’、９”）と処置空間（９、９’、９”）内に処置剤を噴霧可能な噴霧装置（４ａ）とを備え、噴霧装置（４ａ）と処置剤を噴霧される歯ブラシのヘッド部（１０、１０’、１０”）とは互いに離れているが、噴霧装置（４ａ）と前記歯ブラシのヘッド部（１０、１０’、１０”）を囲む保持装置（３ａ、３ｂ、３ａ’、３ｂ’、３ａ”、３ｂ”）に関して互いに噴霧関係に配置されており、噴霧装置（４ａ）の噴霧ヘッド（１１、１１’、１１”）を噴霧位置に導入可能にするリリース突起（１４ａ）を有するキャップ（１４）が設けられている、携帯用歯科衛生装置において、
前記キャップ（１４）は、保持装置（３ａ、３ｂ、３ａ’、３ｂ’、３ａ”、３ｂ”）に圧着可能であって、内部の底面（１６ｂ）にリリース突起（１４ａ）を有する取り外し可能なキャップ（１４）であること、
保持装置（３ａ、３ｂ、３ａ’、３ｂ’、３ａ”、３ｂ”）の底面には通路（１５）および通路（１６）の２つの通路が設けられており、該通路（１５）または通路（１６）のいずれか１つは噴霧ヘッド（１１、１１’、１１”）と軸方向に整列されていること、および
取り外し可能なキャップ（１４）を、前記リリース突起（１４ａ）が噴霧ヘッド（１１）を噴霧装置（４ａ）に対し押し上げる位置において保持装置（３ａ、３ｂ、３ａ’、３ｂ’、３ａ”、３ｂ”）に圧着設置すると、噴霧装置（４ａ）が噴霧流をリリースし、また、取り外し可能なキャップ（１４）を、前記リリース突起（１４ａ）が前記噴霧ヘッド（１１）を噴霧装置（４ａ）に対し押し上げる位置に対して１８０°回転した位置において保持装置（３ａ、３ｂ、３ａ’、３ｂ’、３ａ”、３ｂ”）に圧着設置すると、噴霧装置（４ａ）が噴霧流をリリースしないように保護できるようにしたことを特徴とする携帯用歯科衛生装置。
【請求項２】
前記保持装置（３ａ、３ｂ、３ａ’、３ｂ’、３ａ”、３ｂ”）は、パチンと締まる２つの外殻部分（３ａと３ｂまたは３ａ’と３ｂ’または３ａ”と３ｂ”）からなり、前記取り外し可能なキャップ（１４）は前記締めた外殻部分（３ａと３ｂまたは３ａ’と３ｂ’または３ａ”と３ｂ”）を少なくとも部分的に覆うようにそれらに押し込み、それらを一緒に保持させることができるようにしたことを特徴とする請求項１に記載の携帯用歯科衛生装置。
【請求項３】
前記取り外し可能なキャップ（１４）は同時に歯ブラシ皿としても設計されることを特徴とする請求項１に記載の携帯用歯科衛生装置。
【請求項４】
前記２つの外殻部分（３ａと３ｂ、または３ａ’と３ｂ’、または３ａ”と３ｂ”）は蝶番機構（１２）によって結合されていることを特徴とする請求項２に記載の携帯用歯科衛生装置。
【請求項５】
前記蝶番機構（１２）は、プラスチック製の外殻部分（３ａ、３ｂ、３ａ’、３ｂ’、３ａ”、３ｂ”）を有するフィルム蝶番からなることを特徴とする請求項４に記載の携帯用歯科衛生装置。
【請求項６】
前記外殻部分（３ａ、３ｂ、３ａ’、３ｂ’、３ａ”、３ｂ”）は、噴霧装置（４ａ）のための挿入空所（４、４’、４”）と、歯ブラシ（８、８’、８”）のための挿入空所（７、７’、７”）と、練り歯磨き容器（６）のための挿入空所（５、５’、５”）とを有することを特徴とする請求項１〜５のいずれか１項に記載の携帯用歯科衛生装置。
【請求項７】
爪楊枝、デンタルフロス、硬膏剤などの歯科衛生用に使用される装置のために、少なくとも１つの挿入空所（２１、２１’）が設けられることを特徴とする、請求項１〜６のいずれか１項に記載の携帯用歯科衛生装置。
【請求項８】
噴霧装置（４ａ）および練り歯磨き容器（６）のための複合収容設備が長期旅行期間のために用意されていることを特徴とする請求項１〜７のいずれか１項に記載の携帯用歯科衛生装置。
【請求項９】
前記処置空間（９、９’、９”）内に配置される部材は、義歯の他に、歯ブラシ（８、８’、８”）のヘッド（１０、１０’、１０”）、電気歯ブラシヘッドであることを特徴とする請求項１〜８のいずれか１項に記載の携帯用歯科衛生装置。
【請求項１０】
前記携帯用歯科衛生装置は消毒薬のディスペンサーとして働き、消毒薬が処置空間（９、９’、９”）内の歯ブラシ剛毛（１０ａ、１０ｂ）上に噴霧され、こうして噴霧された歯ブラシ剛毛（１０ａ、１０ａ’、１０ａ”）を消毒薬の担体として用いることができることを特徴とする請求項１〜９のいずれか１項に記載の携帯用歯科衛生装置。
【請求項１１】
前記噴霧装置（４ａ）の噴霧ヘッド（１１、１１’、１１”）に当接されるアダプタ（１１ａ）は、噴霧ヘッド（１１、１１’、１１”）を非リリース位置に位置固定する安全装置として働き、該アダプタ（１１ａ）の下部には、保持装置（３ａ、３ｂ、３ａ’、３ｂ’、３ａ”、３ｂ”）の底部裏面（１６ｂ）の通路（１６）を通過嵌合できる縮小外径を形成したことを特徴とする請求項１〜１０のいずれか１項に記載の携帯用歯科衛生装置。
【請求項１２】
前記アダプタ（１１ａ）は、保持装置（３ａ、３ｂ、３ａ’、３ｂ’、３ａ”、３ｂ”）の底部裏面（１６ｂ）まで各通路（１６）を通過できるようにする、縮小外径を有する突起（１１ｂ）を底面側に有することを特徴とする請求項１〜１１のいずれか１項に記載の携帯用歯科衛生装置。
【請求項１３】
前記携帯用歯科衛生装置は、１本、２本、あるいは多数本の歯ブラシ（８、８’、８”）用の単一用セット、２本用セット、あるいは多数本用セットとして設計されることを特徴とする請求項１〜１２のいずれか１項に記載の携帯用歯科衛生装置。
【発明の詳細な説明】
本発明は、携帯用歯科衛生装置に係り、処置空間と処置空間内に処置剤を噴霧可能な噴霧装置とを備え、噴霧装置と処置剤を噴霧される部分とは互いに離れているが、噴霧装置と前記部分を囲むホルダ上で互いに噴霧関係に配置されており、噴霧装置の噴霧ヘッドを噴霧位置に導入可能にするトリガ素子が設けられている携帯用歯科衛生装置に関する。
国際特許WO No. 96/16,750には、歯ブラシのヘッド部分と噴霧器のヘッドとを底部に配置可能は歯科医療装置が記述されている。二つ割りケース状保持装置が設置されている。噴霧器は保持装置の一方の部分の収納空所に配置可能になっており、また、歯ブラシは、側面バルブとして設計された、保持装置の他方部分に位置する。装置を閉じると、ガイドレールが歯ブラシを位置決めする。噴霧器のバルブの噴霧ヘッドはブラシ室に配置可能である。ハウジングのヘッドに設けられ、噴霧缶の底に作用可能なリリースボタンによって噴霧がリリースする。リリースボタンを押し下げることで、何らかの制御法によって噴霧をブラシ室の歯ブラシの剛毛に向けることができる。
こうした装置も、その大きさ故に、移動目的には不向きである。他の歯科治療用具を収容できる可能性が欠如している。リリースボタンをうっかり押し下げてしまって、誤って噴霧流をリリースしてしまうかもしれない。この危険は、特に手荷物において大きくなる。
本発明の目的は、単純な設計で、特に移動時において偶発的な噴霧流リリースの心配が極めて少ない携帯用歯科衛生装置を創出することにある。
この目的は、本発明に基づき、次の事実によって達成される。
ａ）  保持装置上に設置可能で、内部底面上にリリース突起を有する取り外し可能なキャップをリリース素子が有すること、
ｂ）  リリース突起の配置に応じて保持装置の底面に通路が設けられており、その通路のうちの１つは噴霧ヘッドと軸方向一列に整列していること、
ｃ）  取り外し可能なキャップを保持装置上の設置可能な位置のうちの１つに設置すると、噴霧装置が[偶発的に]噴霧流をリリースしないように保護し、また、他の設置可能な位置では、噴霧流をリリースするようにできること。
こうした取り外し可能なキャップの特別な設計によって、安全機能と放流機能とが生みだされる。キャップが所定位置に設置されて、リリース素子が噴霧ヘッドから多少間隔をおいて設けられた通路内を通ると、安全機能が実行される。また、キャップが所定位置に設置されて、リリース素子が噴霧ヘッドと軸方向一列に整列させた通路内を通ると、リリース機能が実行される。この設置位置、即ち、リリース位置では、取り外し可能なキャップのリリース素子がスプレイヘッドを上に押し、その結果噴霧流をリリースするようになる。[キャップが]他方の設置位置、即ち、安全位置にある場合は、噴霧はリリースすることができない。操作は簡単で、便利かつ確実である。
本発明の他の実施例によると、保持装置は、互いにぱちんと締まる２つの外殻部分からなり、取り外し可能なキャップは、締まった外殻部分上を少なくとも部分的に覆うように押し込んで、それらを一緒に保持させることができる。取り外し可能なキャップは保持装置のための閉鎖手段として働き、装置の外殻部分を一緒に保持する。
本発明の他の実施例によると、取り外し可能なキャップは、歯ブラシ皿としても設計されている。取り外し可能なキャップはこうして他の用途において適切に使用することができる。
本発明の他の実施例によると、２つの外殻部分は共に蝶番機構によって結合される。この蝶番機構は、好適には、プラスチック製の外殻部分を有するフィルム蝶番からなる。
本発明の他の実施例によると、外殻部分は、噴霧装置のための挿入空所と、歯ブラシのための挿入空所と、練り歯磨き容器のための挿入空所とを有する。
本発明の他の実施例によると、爪楊枝、デンタルフロス、硬膏剤などの歯科衛生用に使用される装置のために、少なくとも１つの挿入空所が設けられる。
本発明の他の実施例によると、この挿入空所は、分配水消毒薬、特に速効性消毒薬を導入するよう設計される。この水消毒薬の部分は、人の歯を磨くのに必要な量の水を迅速に消毒するように計量される。これは、旅行用携帯品として完全である。
本発明の他の実施例によると、噴霧装置および練り歯磨き容器のための複合収容設備が長期旅行期間のために用意される。
本発明の他の実施例によると、処置空間内に配置される部分は、歯ブラシのヘッド、電気歯ブラシヘッド、また、義歯でも良い。適当に整形すると、義歯の着用者が電気歯ブラシの利用者でも完全な歯科衛生を達成することが可能になる。
本発明の他の実施例によると、消毒薬が処置空間内の歯ブラシ剛毛上に噴霧され、こうして噴霧された歯ブラシ剛毛を消毒薬の担体として用いることができるという事実によって、前記携帯用装置は消毒薬のディスペンサーとして働くようにされる。こうして、義歯、ねじジャッキ、三叉神経症候群のための装具などのように、大きすぎて装置内に設置不可能な、装置外の部品等を、噴霧でさらに濡れた新たに噴霧された歯ブラシ剛毛で確実に消毒できる。
本発明の他の実施例によると、アダプタが噴霧装置の噴霧ヘッド上に押圧可能になっており、噴霧ヘッド上で安全位置を占め、そのために設けられた通路を介して保持装置の底部裏面まで通過できる。
本発明の他の実施例によると、前記アダプタは、そのために設けられた通路を介して保持装置の底部裏面まで通過できるようにした、縮小外径を有する突起を底面に有する。こうして、アダプタと噴霧ヘッドは、確実に軸方向に案内される。
本発明の他の実施例によると、前記携帯用装置は、１本、２本、あるいは多数本の歯ブラシ用の単一用セット、２本用セット、あるいは多数本用セットとして設計可能である。
次にあげる図面に基づいて本発明をさらに詳細に説明する。
図１：一方の設置位置においては噴霧装置から噴霧流をリリースするように働き、他方の設置位置では安全位置にあってこのリリースを防止する取り外し可能なキャップとともに、噴霧器、練り歯磨きのチューブ、及び歯ブラシを備えた歯科衛生装置の双外殻ケースの一方の外殻の開放側面図。
図２：図１に対応する双外殻ケースの他方の外殻の開放側面図。
図３：取り外し可能なキャップがリリース位置にある状態の図１による構成図。
図４：図２に対応するケース外殻の底部図。
図５：図１及び図２のケース外郭の上部図。
図６：取り外し可能なキャップがリリース位置にある状態において、取り外し可能なキャップとともに、２つの噴霧装置、２つの練り歯磨きチューブ、及び１つの歯ブラシを備えた、歯科衛生装置の双外殻ケースの一方の外殻の開放側面図。
図７：２つの噴霧装置と２つの練り歯磨きチューブを備えた図６の他方のケース外殻の開放側面図。
図８：図１から図７の携帯用装置による概略横断面形状図。
図９：アダプタが噴霧ヘッド延長部として噴霧ヘッド上に設置され、開放状態ではぱちんと離れる外殻部分を有する本発明の他の実施例を示す図。
図１は歯科衛生ステーションを小型に形成する装置を示す。この歯科衛生装置の保持装置は、２つのケース外殻３ａと３ｂを有する外殻ケース１からなる。ケース外殻３ａ、３ｂは、例えば、射出成形によってプラスチックで作られる。収納空所はケース外殻３ａ、３ｂ内部に設けられる。各収納空所４は、噴霧装置４ａ、例えば、噴霧缶を収容するようになっている。収納空所５は練り歯磨きチューブ６を収容するようになっている。収納空所７は歯ブラシ８をその軸部８ａとともに収容するようになっている。この装置の応用性を広げるために、別の収納空所２１も、デンタルフロス、速効性水消毒薬、爪楊枝、硬膏剤などを収納するために用意される。収納空所４、５、７及び２１は、空所の形も決める仕切り１８によって仕切られている。ケース外殻３ａと３ｂは互いに鏡像をなすように設計される。処置空間９が設けられ、歯ブラシ８のヘッド１０はそこに配置される。同様に、缶形噴霧装置４ａの噴霧ヘッド１１も処置空間９内に突出する。
ケース外殻３ａと３ｂは、図１及び図２に示すように、互いに分離させても良いが、図５に示すようにフィルム蝶番によってケース外殻３ａと３ｂを結合することもできる。図１及び図２では、フィルム蝶番１２は連続線１３によって示されている。
歯ブラシ皿として利用できる取り外し可能なキャップ１４は、組み立てたときには、ケース外殻３ａと３ｂの下側からその上に押し込み可能にされる。図１では、外殻に圧着した取り外し可能なキャップ１４の破断図が斜線で示されている。取り外し可能なキャップ１４上に設けられるリリース突起１４ａは、図３及び図４に明白に示すように、通路１５と１６を通ってケース外殻３ａと３ｂの底面１６ａに押圧可能である。この底面１６ａは、同時に、保持装置の底面１６ａにもなっており、処置空間の下面と境界を接している。図１において、リリース突起１４ａは通路１５にある。図１の通路１６は噴霧ヘッド１１で満たされている。噴霧ヘッド１１の確実な案内は、案内壁１７と１８によって達成される。この機構の変形例が図９に示されている。
ケース外殻３ａと３ｂをぱちんと締め合わせて取り外し可能なキャップ１４をそれに圧着してしまうと、ケースは閉じ、完全な旅行セットとしてパック可能になる。歯を磨くには、取り外し可能なキャップ１４を外してケース外殻３ａと３ｂを開く。練り歯磨きは練り歯磨きチューブ６から歯ブラシヘッド１０の剛毛１０ａに塗ることができる。歯を磨いたら、任意に取り外し可能なキャップ１４を皿として用いて、歯ブラシを水洗し、それらと練り歯磨きチューブ６とを空所５、７に戻す。その後ケース外殻３ａと３ｂを再び締め合わせる。次に取り外し可能なキャップ１４を図３に示すようにケースに設置する。キャップを押しつけると、リリース突起１４ａが噴霧ヘッド１１を噴霧装置４ａに対して押し上げ、噴霧１９が剛毛１０ａ上及び剛毛束の付け根内に直接吹き付けられる。このような噴霧される場所は、バクテリアやビールスや真菌類がもっとも棲みつきやすく、もっとも長く残存する所である。噴霧流の後に、取り外し可能なキャップ１４ａを再び取り外し、図１の位置に１８０°回転させ、ケース上に戻して圧着する。次の歯磨きまでの休止期間中、処置空間９内に噴霧した媒体は歯ブラシの剛毛１０ａと剛毛束の付け根とに作用することができる。
処理室を閉じるので、蒸発は遅くなる。こうして消毒薬の効果は向上する。この考案は、まず噴霧装置の助けを借りて消毒薬剤を剛毛１０ａ上に噴霧することにある。しかしながら、消毒薬剤の代わりに、任意に脱臭薬剤や他の衛生薬剤を用いても良い。
図６及び図７は、ケース外殻３ａ’と３ｂ’を有する外殻ケースの変形例１’を示す。この場合、２つの空所４’は好適にな噴霧装置４ａ用に設けられているものである。噴霧装置４ａは、多様な処置剤をも含む。練り歯磨きチューブ５ａを空所５’に設置することができる。噴霧ヘッド１１’は取り替え可能であり、バルブピン４ｃ上に設置可能である。図１から図５の説明と全く同様に、噴霧１９を噴霧ヘッド１１’によって導入可能な処置空間９がここでも存在している。噴霧１９は、ここでも、歯ブラシ軸部８ａ’を有する歯ブラシ８’のヘッド１０’上の剛毛１０ａ’を処理するように働く。この場合、例えば、義歯を磨くのに用いられる、より大きな歯ブラシであっても良い。
図８は、ケース１及び１’の断面の変形例を３つ示す図である。形状Ａは楕円、形状Ｂは卵形多角形、形状Ｃは卵形である。この形状は、最終的には、設計者の望む形状、及び、噴霧装置の形状から得られる可能性によって決まる。
図９は、変形した装置を示し、保持装置は、同様に、２つのケース外殻３ａ”と３ｂ”を有する外殻ケース１”からなる。ケース外殻３ａ”と３ｂ”内部には、噴霧缶などの噴霧装置４ａを収容するための収納空所４”がある。収納空所５”は、練り歯磨きチューブ６を収容するためのものである。収納空所７”は、軸部８ａ”を有する歯ブラシ８を収容するためのものである。デンタルフロス、速効性水消毒薬、爪楊枝、硬膏剤などは収納空所２１”に収納可能である。ケース外殻３”と３ｂ”は、本質的には鏡像になるよう設計される。処置空間９”が設けられており、その中に歯ブラシ８”のヘッド１０”が置かれる。同時に、缶状噴霧装置４ａの噴霧ヘッド１１”も処置空間９”内に突出する。ケース外殻３ａ”と３ｂ”はフィルム蝶番１２によって接合される。
図９では、歯ブラシ皿として利用可能で取り外し可能なキャップ１４を開いたケース上に圧着させているが、この取り外し可能なキャップ１４は２つの部分で示されている。取り外し可能なキャップ１４は、リリース突起１４ａにおいて、底面１６ａの半通路１５を通る。
噴霧ヘッド１１”上の安全位置を占めるアダプタ１１ａは、噴霧装置４ａの噴霧ヘッド１１”上に押しつけられる。アダプタ１１ａは、通路１６を通って底面裏側１６ｂに達することのできる、縮小外径を持つ突起１１ｂをその底面側に有している。こうしたアダプタは噴霧ヘッドの安全な案内を保証するものである。アダプタ１１ａの使用によって、市販の噴霧ヘッド１１”を利用可能にもなる。
本装置は、単一セットとしてのみ用いられるわけではない。同様に、２つ組セットとして第二歯ブラシ用の受入空間を設け、あるいは、多組セットとして追加歯ブラシ用の[複数の]受入空間を設けることによって装置を設計することもできる。
ここで示す携帯用装置は、歯ブラシヘッドに噴霧するために装備したものである。しかしながら、歯ブラシヘッドとその剛毛を処理するためにだけ必要なのではないことは分かっている。義歯には感染症の危険もある。それゆえ、本装置を設計するに際し義歯を処理するための処置空間の区域をも設ける用意もある。一方、本装置は、処置空間において歯ブラシ剛毛上に消毒薬剤を噴霧し、このようにして噴霧した歯ブラシ剛毛を消毒薬剤の担体とし用いることによって、消毒薬剤の計量分配装置として利用することもできる。このように、義歯、ジャッキねじ、歯防護材、三叉神経装具など、装置外にある部品で、その大きさゆえに装置内に設置できないものを、噴霧することによって濡れている間にその新たな噴霧された歯ブラシ剛毛で確実に消毒することができる。こうしたこれらの部品の十分な消毒も考慮に入れることができる。従来使用してきた掃除方法や製剤は十分な消毒効果を発揮していない。
【図１】
0003911520.tif 000002
【図２】
0003911520.tif 000003
【図３】
0003911520.tif 000004
【図４】
0003911520.tif 000005
【図５】
0003911520.tif 000006
【図８】
0003911520.tif 000007
【図６】
0003911520.tif 000008
【図７】
0003911520.tif 000009
【図９】
0003911520.tif 000010